Podtech/llm-jp-corpus-v4-ja_patent huggingface dataset:
(57)【要約】      （修正有）【課題】室内の壁２面と天井とが接する３面のコーナー部分を有効に活用する為の用具として、四面体の装飾品を提供する。【解決手段】天井コーナー部分に貼り付ける立体として直角三角形３面を含んだ四面体（三角すい）を活用する。表面の素材や色彩を工夫することによって、新しい室内装飾品として活用する。四面体を曲線を伴った形状にした場合は、従来の角張った天井コーナーに替わり、室内全体を丸みを帯びたまろやかな雰囲気にすることが出来る。また、四面体を箱状の構造にして、内部に消臭剤、芳香剤を収納する用具とすることが出来る。さらに、四面体を軽量柔軟な素材により制作し、室内４つの天井コーナーに設置して、構造補強具として活用することも考えられる。【選択図】図１
0003146940.tif 000002
【実用新案登録請求の範囲】
【請求項１】
基本形は、直角２等辺三角形３面と正３角形１面にて構成される四面体である。この四面体を両面接着テープ・マジックテープなどを用いて室内の天井角に貼り付ける。四面体の工作物の内、３面は貼り付け面となり、１面が表面となる。
表面となる１面をカラーで色づける室内装飾品としての機能を主とするが、内部に消臭剤、芳香剤等を入れる定置型の箱としても使う事ができる。室内の壁２面と天井が合わさるコーナーは、一番の隅としてこれまで顧みられることが無かったが、この位置を活用する器材として考案した。目に触れる表面が１面であるのに対して、貼り付け面が３面である四面体の特徴を生かしたことは、持続性においても安心できる構造である。室内４つのコーナーに設置することにより、構造の耐震性を高める可能性が考えられる。
【請求項２】
基本形である四面体の表面部分に丸みをもたせるため、表面の辺となる線を曲線にして、全体を曲線形状にする。これを設置することによって、室内の天井部分の角張ったコーナーが丸みを帯びた形状になる。
【考案の詳細な説明】
【技術分野】
【０００１】本品はこれまで活用されなかった天井コーナーを生かして、室内装飾の場とすると共に、内部に芳香剤などを加えて使用できるようにしたものである。また室内４つのコーナーに設置することにより、構造の耐震性を高める可能性も考えられる。
【背景技術】
【０００２】従来は天井コーナーを生かして設置する装飾用具は無かった。
【考案の開示】
【考案が解決しようとする課題】
【０００３】（イ）従来の室内装飾は立体物を机上に置くか、平面を壁に貼り付けたりするものが主であった。立体と平面を兼ね備えた物が要望されていた。
（ロ）従来の貼り付け製品は壁または天井であった。その為、接着の持続時間に不安や限界があった。
【課題を解決するための手段】
【０００４】（イ）室内の天井四隅を活用することによって、立体感のある装飾を創り出すことが出来る。
（ロ）従来の貼り付け製品が壁または天井であったのに対して、四面体（三角すい）の本品は壁と天井とのコーナーへ貼り付ける。そのため表面１に対して貼り付け面は３となる。
【考案の効果】
【０００５】（イ）表面１に対して貼り付け面は３となるため接着持続時間が大幅に伸びると考えられる。
（ロ）本製品の表面をメッシュなどの素材として、内部に消臭剤、芳香剤などを収納し、室内の対角方向、あるいは４方向からの効果を期待できる。
（ハ）新たな装飾空間の提案である。
（ニ）構造補強具としての役割も期待できる。
【図面の簡単な説明】
【０００６】
【図１】四面体の平面図
【図２】１Ａ面を上にした平面図。コーナーに設置した場合の説明を含む。
【図３】本体を斜め上から見た場合の見取図
【図４】展開図
【図５】曲線形状の場合の見取図
【図６】曲線形状の場合の展開図
【符号の説明】
【０００７】１  Ａ面、表面になる
２  Ｂ面
３  Ｃ面
４  Ｄ面
５  両面テープなどの接着シール部分
６  芳香剤などを入れる場合の口
７  平面と曲面との境線（折り線）
【図１】
0003146940.tif 000003
【図２】
0003146940.tif 000004
【図３】
0003146940.tif 000005
【図４】
0003146940.tif 000006
【図５】
0003146940.tif 000007
【図６】
0003146940.tif 000008
【手続補正書】
【提出日】平成20年8月29日(2008.8.29)
【手続補正１】
【補正対象書類名】実用新案登録請求の範囲
【補正対象項目名】全文
【補正方法】変更
【補正の内容】
【実用新案登録請求の範囲】
【請求項１】
直角２等辺三角形３面と正３角形１面にて構成される四面体を両面接着テープ・面ファスナーなどを用いて室内の天井角に貼り付け設置する四面体装飾品。
【請求項２】
内部に消臭剤、芳香剤等を入れる定置型の箱として使うことを目的とする請求項１記載の応用品。
【請求項３】
四面体の表面の辺となる線を曲線にして、全体を曲線形状にし、室内の天井部分の角張ったコーナーに丸みを持たせることを特徴とする請求項１記載の装飾品。
(57)【要約】      （修正有）【課題】部数の多い書類や資料等の２ヶ所留めのホッチキスでの綴じこみ作業を１度の打ち込みにより、効率よくきれいに作成することができる２ヶ所留めホッチキスを提供する。【解決手段】２個のホッチキスを一体化することにより、１度の打ち込みで２ヶ所の綴じ込みができ、資料等の綴じ込み作業の効率化をはかれる。ストッパーにて綴じ込みの位置を安定させ上部の持ち出しを多くすることにより、テコの原理で軽く打ち込むことが出来るホッチキスである。【選択図】図１
0003146938.tif 000002
【実用新案登録請求の範囲】
【請求項１】
１度の打ち込みで書類の２箇所を同時に綴る事のできるホッチキス。
【考案の詳細な説明】
【技術分野】
【０００１】
この考案は２個のホッチキスを一体化して一度の打ち込みで簡単に二ヵ所を綴じることのできるホッチキスである。
【背景技術】
【０００２】
従来のホッチキスでは書類を綴じる場合一度の打ち込みでは一ヵ所綴じるだけであった。
【０００３】
【特許文献１】特開２００４−１４２０７４
【特許文献２】特開平７−２３７１５０
【考案の開示】
【考案が解決しようとする課題】
【０００４】
書類や資料等をホッチキスで綴じる場合一ヶ所の綴じしか出来なかった。２ヶ所を
綴じる時には倍の時間と労力が掛かる作業を効率化することができる。
【課題を解決するための手段】
【０００５】
２個のホッチキスの間隔を開け一体化することにより１度の打ち込みで２ヶ所を綴じることが出来る。
【考案の効果】
【０００６】
２ヶ所を綴じて書類や資料を作成する時、紙の揃えや打ち込みをきれいに綴じることができるホッチキスである。
【考案を実施するための最良の形態】
【０００７】
図１の符号３の２個のホッチキスをパンチ穴に影響を与えない間隔を開け符号１符合２のように一体化をする。図１図２の符号４の両サイドのスライド可能ストッパーにより書類等の揃えと綴じ込みの位置を調整できる。図１図２の符号５前部分の持ち出しを１，５ｃｍから２ｃｍ出すことによりテコの原理で軽く綴じることができる。
【図面の簡単な説明】
【０００８】
【図１】全体図
【図２】側面図
【符号の説明】
【０００９】
１  ホッチキス上部
２  ホッチキス下部
３  ホッチキス打ち込み部
４  スライド可能ストッパー
５  上部持ち出し部
【図１】
0003146938.tif 000003
【図２】
0003146938.tif 000004
【手続補正書】
【提出日】平成20年8月6日(2008.8.6)
【手続補正１】
【補正対象書類名】実用新案登録請求の範囲
【補正対象項目名】全文
【補正方法】変更
【補正の内容】
【実用新案登録請求の範囲】
【請求項１】
一度の打ち込みで書類等の２ヶ所を同時に留めることが出来るホッチキスで、ホッチキス上部とホッチキス下部本体の間に打ち込み部の２個のホッチキスをパンチ穴に影響を与えない間隔を開け固定し一体化することにより１度の打ち込みで書類の２箇所を同時に留める事ができ、両サイドのスライド可能ストッパーを取り付ける事により書類等の揃えと綴じ込みの位置を調整できる２ヶ所留めホッチキス。
(57)【要約】      （修正有）【課題】災害時において簡単、スピーデイに組立てられ、使用後は可燃ゴミとして処理できる強化ダンボールを用いた組立式簡易トイレを提供する。【解決手段】簡易トイレは、主として、強化ダンボール紙の幅が３種類の板状の部材５枚１Ａ，２Ａ，２Ｂ，３Ａ，３Ｂと便座用部材で構成する。該板状部材に溝１Ａａ，１Ａｂ，２Ａａ，２Ａｂ，２Ｂａ，２Ｂｂ，３Ａａ，３Ａｂ，３Ｂａ，３Ｂｂをつける。１Ａａの溝に２Ａａの溝を合わせ、１Ａｂの溝に２Ｂａの溝を合わせる。２Ａｂの溝に３Ａａの溝を合わせる。２Ｂｂの溝に３Ｂｂを合わせ、３Ａｂの溝に３Ｂａを合わせると５角形ができる。その中に処理パックをセットし、防臭凝固剤を添付スプーンで１〜２杯入れ、最後に便座をのせて完成させる。【選択図】図１
0003146935.tif 000002
【実用新案登録請求の範囲】
【請求項１】
強化ダンボール紙の幅が３種類ある板状の部材５枚を組み合わせて５角形にし、処理パックに防臭凝固剤をいれてセットし、前記強化ダンボール紙から出来た便座を乗せれば、即、使用出来る、組立て式簡易トイレ。
【考案の詳細な説明】
【技術分野】
【０００１】いつでも、どこでも、誰でも簡単に組立てられるトイレである。
【背景技術】
【０００２】地震、風水害、旱魃等で水道が止まった時に、誰しもが一番困るのはトイレ問題である。
【考案の開示】
【考案が解決しようとする課題】
【０００３】災害等で水が止まり使用出来ないトイレに代るものである。、収納箱に納められているので平常時は収納しやすく、使用時点で誰でも簡単に組立てられ、処理パックに防臭凝固剤を添付スプーン１〜２杯入れてセットし、即、使用でき、最終的には汚物入り処理パックも強化ダンボール紙で出来ている組立てトイレも可燃ゴミとして処理できる。
【課題を解決するための手段】
【０００４】本考案は強化ダンボール紙の幅が３種類の板状の部材５枚を使用。各１枚ごとに２か所の溝をつけ、溝と溝を合わせる事により約３０秒で組立てられ、その形は５角形となる。そのなかに処理パックをセットし、防臭凝固剤を入れ、最後に、前記強化ダンボール紙で作られた便座を乗せて出来上がる。
【考案の効果】
【０００５】地震・災害時などの緊急時に平常心でいられない状況の時、誰でもが簡単に、且つ、スピーデイに組立てられ、即使用出来る事が重要であり、それらに対応出来る組立てトイレである。その上、使用後の環境を考え、可燃出来る材質とした。
【考案を実施する為の最良の形態】
【０００６】組立てトイレは座してぐらついてはいけないので安定化の為に５角形にした。
【０００７】組立てトイレの材質は強度が必要と考え、すでにある古紙１００％強化ダンボール紙を使用。
【０００８】組立てトイレの板状の部材に溝をつけた事により、使用者が手にし、一見しただけで、考えたり、工夫する事なく簡単即座に組み立てられる。
【０００９】使用後のゴミの出ない環境作りの為に、燃えるダンボール紙と焼却時にダイオキシンがでない処理パック、及び、天然ゼオライト・吸水ポリ−のパウダーを使用している。
【００１０】組立てトイレ・処理パック・パウダーは収納箱に収納されているので、積み重ねができ備蓄所で収納場所をとらない。
【００１１】組立てトイレだけでは実際に使用出来ないので、処理パックに防臭凝固剤をいれてセットする事により、即、使用出来るようにした。
【００１２】組立てトイレは３種類の幅の部材を使用する。例えば、高さは３６０ミリで５枚とも同じ。幅が２０５ミリが１枚、２３３ミリが２枚、３１０ミリが２枚。各枚２ヶ所に長さ８５ミリ、幅１２ミリの溝。便座の直径は２９７ミリ。便座裏面に、便座を安定させるため３ヶ所に同じ部材で１．５ミリ×８．５ミリ２枚、１．５ミリ×７．５ミリ１枚の長方形を貼り付けた。
【００１３】以下、添付図面１、２にしたがって実施例を説明する。
１Ａａの溝に２Ａａの溝を合わせ、１Ａｂの溝に２Ｂａの溝を合わせる。２Ａｂの溝に３Ａａの溝を合わせる。２Ｂｂの溝に３Ｂｂを合わせ、３Ａｂの溝に３Ｂａを合わせると５角形ができる。その中に処理パック５をセットし、防臭凝固剤６を添付スプーン７で１〜２杯入れ、最後に便座４Ａをのせて完成。便座４Ｂには４Ｂａ２ヶ所、４Ｂｂ１ヶ所は便座安定の為である。
【図面の簡単な説明】
【００１４】
【図１】本考案の実施形態に係る組立て式簡易トイレの部材図その１である。
【図２】本考案の実施形態に係る組立て式簡易トイレの部材図その２である。
【符号の説明】
【００１５】１Ａ    組立トイレ本体の１部
１Ａａ  組合せの為の溝
１Ａｂ  組合せの為の溝
２Ａ    組立トイレ本体の１部
２Ａａ  組合せの為の溝
２Ａｂ  組合せの為の溝
２Ｂ    組立トイレ本体の１部
２Ｂａ  組合せの為の溝
２Ｂｂ  組合せの為の溝
３Ａ    組立トイレ本体の１部
３Ａａ  組合せの為の溝
３Ａｂ  組合せの為の溝
３Ｂ    組立トイレ本体の１部
３Ｂａ  組合せの為の溝
３Ｂｂ  組合せの為の溝
４Ａ    組立トイレ便座平面図
４Ｂ    組立トイレ便座底面図
４Ｂａ  便座安定の為のストッパー
４Ｂｂ  便座安定の為のストッパー
５      処理パック
６      防臭パウダー
７      計量スプーン
【図１】
0003146935.tif 000003
【図２】
0003146935.tif 000004
【手続補正書】
【提出日】平成20年9月8日(2008.9.8)
【手続補正１】
【補正対象書類名】実用新案登録請求の範囲
【補正対象項目名】全文
【補正方法】変更
【補正の内容】
【実用新案登録請求の範囲】
【請求項１】
強化ダンボール紙の幅が３種類ある板状の部材５枚を組み合わせて５角形にしたものと、処理パックに防臭凝固剤を入れたものと、前記強化ダンボ−ル紙から出来た便座とでできた、組み立て式簡易トイレ。
(57)【要約】      （修正有）【課題】洗濯物の内側がくっ付かなくなるとともに、落ちにくくなり、空間部を利用して女性用の下着等を掛け、他人の目線に入らないように干すことも可能となるハンガーを提供する。【解決手段】洗濯物の内側を広げるガード棒３と、女性用の下着等を掛ける開閉式横棒９で形成された部品を、ハンガー左右傾斜部に挿入し、締め付けキャップ１１で固定することにより、太陽光や風の通り道ができるため、乾燥も早く落ち難くなり洗濯バサミが不要となる。さらに、女性用の下着等は他人の目線に入らなくなり、盗難の被害に遭いにくくなる。【選択図】図３
0003146937.tif 000002
【実用新案登録請求の範囲】
【請求項１】
ハンガー左右傾斜部の先端を円形状とし、その中心部に差し込み穴を設けたことを特徴とする。
【請求項２】
ガード棒と一体となす左右円形部の内側空間部に、開閉式横棒を取り付けて形成された部品を、ハンガーに組み合わせたことを特徴とする。
【請求項３】
差し込みピンの一方をネジ切り加工し締め付けキャップで固定することにより、ガード棒を任意の角度に調整できることを特徴とする。
【考案の詳細な説明】
【技術分野】
【０００１】  本考案は、洗濯物を干す際に使用するハンガーに関する。
【背景技術】
【０００２】  従来のハンガーでは、洗濯物の内側がくっ付いた状態で掛け、落ちないように洗濯バサミで挟みつけていた。また、女性用の下着類は別の干し物を利用し掛けていた。
【考案の開示】
【考案が解決しようとする課題】
【０００３】  しかし、これでは、天気の悪い日には乾きが悪く、半乾きのまま室内干しをすると、衣類に臭いが付いてしまう。また、挟み付けるために乾燥衣類に挟み付けた跡が付いてしまう。さらに、女性用の下着等は別の干し物等を利用し、他人の目線に入りにくいように回りを囲った中や、他の洗濯物の間に掛けるなど工夫しているが、盗難に遭う被害が多発しており，主婦としては非常に気をつかわなければいけない。
【課題を解決するための手段】
【０００４】  そこで、ハンガー左右傾斜部の先端部を円形状とし、その中心部に差し込み穴を設ける。つぎに、ガード棒と一体となす左右円形部の内面には、一方を支点とした開閉式の横棒を取り付け、外面には一方をネジ切り加工した差し込みピンが付いている。このガード棒と開閉式横棒とで形成された部品を、ハンガー左右傾斜部先端の差し込み穴に挿入し締め付けキャップで固定することにより構成された、スーパーマルチハンガーを考案（図３）した。このスーパーマルチハンガーにより、洗濯物の内側がガード棒で広げられるためくっ付かなくなるとともに、落ちにくくなる。さらに、空間部を利用し取り付けた開閉式横棒に女性用の下着等を掛け、他人の目線に入らないように乾燥さすことも可能となる。
【考案の効果】
【０００５】  よって、本考案のスーパーマルチハンガーにより、洗濯物の内側が広がり、太陽光や風が内側からも入り込むため、乾燥が早く半乾きのまま室内干しをするという不快さを解消できるのである。また、開閉式の横棒に女性用の下着等を掛けても乾燥しやすく、しかも他人の目線に入らなくなるため、盗難の被害にあいにくくなる。さらに、内側を広げることにより、風の通り道ができ、洗濯物が落ち難く挟みつける必要もないのである。衣類をハンガーに掛けてタンス等の中に収納するときは、ガード棒を垂直にし、締め付けキャップで固定すれば、通常のハンガーと変わらないスペースで衣類を保管できる。
【考案を実施するための最良の形態】
【０００６】  本考案のスーパーマルチハンガー図３は，図１に示すハンガーと図２に示す部品とで構成されており、図１に示す左右傾斜部１の長さは、差し込み穴２の中心より８ｃｍ〜１０ｃｍ程度が太陽光や、風の通りやすさを考えると最適である。図２に示すガード棒３は、左右円形部４と一体とし、形状は人体に近い楕円状が好ましく、最大縦幅はガード棒３を垂直にしたときに、ハンガー左右の部位の下面と接触しない程度とする。直径は５ｍｍ〜１ｃｍ程度でよい。つぎに、開閉式横棒９を取り付けるために、左右円形部４の内面にガード棒３に対し垂直にはめ込み用加工溝７と、コの字形加工溝８を設ける。コの字形加工溝８に横棒を挿入し、ピン１０で固定することにより支点とする。つぎに、はめ込み加工溝７は、横棒を側面から押し込むため、ガード棒３を回転させたとき容易に外れない加工幅とする。つぎに、左右円形部４の外面には、差し込みピン５とネジ切り差し込みピン６を設け、図３の締め付けキヤッププ１１で固定する。素材は樹脂で射出成形することが望ましい。ピン１０のみ破損や腐食防止のためステンレスが望ましい。
【図面の簡単な説明】
【０００７】
【図１】  本考案に係るハンガーの、立体図である。
【図２】  本考案に係るガード棒と開閉式横棒とで形成された部品の平面図である。
【図３】  本考案に係るスーパーマルチハンガーの立体図である。
【符号の説明】
【０００８】  １    傾斜部
２    差し込み穴
３    ガード棒
４    円形部
５    差し込みピン
６    ネジ切り差し込みピン
７    はめ込み用加工溝
８    コの字形加工溝
９    開閉式横棒
１０    ピン
１１    締め付けキャップ
【図１】
0003146937.tif 000003
【図２】
0003146937.tif 000004
【図３】
0003146937.tif 000005
【手続補正書】
【提出日】平成20年9月4日(2008.9.4)
【手続補正１】
【補正対象書類名】実用新案登録請求の範囲
【補正対象項目名】全文
【補正方法】変更
【補正の内容】
【実用新案登録請求の範囲】
【請求項１】
楕円状のガード棒と一体となす、左右円形部の内側空間部には、開閉式横棒を取り付け、外側には一方をネジ切り加工した差し込みピンを取り付けて形成された部品を、ハンガー左右傾斜部の差し込み穴に挿入し、締め付けキャップにて任意の角度に、締め付け固定できることを特徴とするスーパーマルチハンガー。
(57)【要約】      （修正有）【課題】おろし器でおろした具材を寄せ集めし易くし、食卓のお皿に容易に移せるような形状にしたおろし器を提供する。【解決手段】おろし器の先端が細くなっていく形状にすることにより、おろした具材が下方に押されていくにしたがい、細くなっていく形状に合わせて自然にまとまっていき、小さい受け皿にも容易に移すことができる。また、先端の大きさに合わせた受け皿で済むため、必要以上に大きい受け皿が不要である。【選択図】図１
0003146936.tif 000002
【実用新案登録請求の範囲】
【請求項１】
おろし器の先端が細くなっていく形状にすることにより、すりおろした具材を寄せ集めし易くし、さらに皿等に移し易くしたことを特徴としたおろし器
【請求項２】
持ち手の負担を軽くするために、おろし器の先端を受け皿の上に置きながら使用する場合、おろし器の先端が細くなっていく形状にすることにより、その受け皿の大きさが、小さい物でも利用することができることを特徴としたおろし器
【考案の詳細な説明】
【技術分野】
【０００１】  本考案は、おろし器の本体を先細りとした、おろし器に関するものである。
【背景技術】
【０００２】  おろし器使用時、持ち手の負担を軽くするためにおろし器の先端を受け皿の上に置きながら使用する場合、おろし器先端の大きさに合う受け皿を用意し、さらにすりおろした具材をおろし器の上で寄せ集めして受け皿に移している。また、目立て部分に穴の開いた専用受け皿とセットになったおろし器も考案されている。
【考案の開示】
【考案が解決しようとする課題】
【０００３】  従来の幅広いおろし器に合う大きさの受け皿を用意するとなると、大きい物に限られ、さらに、おろし器の目立て部分に溜まった具材をブラシ等で寄せ集めるという行為が必要になる。また、目立て部分に穴の開いた専用受け皿とのセットになったおろし器では、盛りつけ作業および専用受け皿の洗浄という手間が増えてしまう。
【課題を解決するための手段】
【０００４】  おろし器目立て部が先端にいくにしたがって細くなっていくようにし、小さい受け皿にも、のせられるような形状にした。
【考案の効果】
【０００５】  上記の様に、おろし器の先端が細くなっていく形状にすることにより、おろした具材が下方に押されていくにしたがい、細くなっていく形状に合わせて自然にまとまっていき、小さい受け皿にも容易に移すことができる。また、先端の大きさに合わせた受け皿で済むため、必要以上に大きい受け皿が不要である。
【考案を実施するための最良の形態】
【０００６】  おろし器目立て部が先端にいくにしたがって細くなっていくようにし、小さい受け皿にも、のせられるような形状にする。
【図面の簡単な説明】
【０００７】
【図１】本考案のおろし器を示した平面図である。
【図１】
0003146936.tif 000003
(57)【要約】      （修正有）【課題】コンパクトでどこへでも持ち運びができる指用リハビリ棒を提供する。【解決手段】直径１．５ｃｍ・長さ６０ｃｍの円錐棒に、５ｍｍの巾で切ったゴムホースをその円錐棒に１．５ｃｍ間隔で接着剤ではめ固定して、円錐棒の片方にペットボトルをひっかける輪を作る。ゴムホースの隙間に指がはまり、上下運動がし易く、その円錐棒を上から下へ、下から上へと指で上下運動をしていく。【選択図】図１
0003146953.tif 000002
【実用新案登録請求の範囲】
【請求項１】
直径１．５ｃｍ・長さ６０ｃｍの円錐棒に、５ｍｍの巾で切ったゴムホースをその円錐棒に１．５ｃｍの間隔で接着剤ではめ固定し、円錐棒の片方の端にペットボトルをぶる下げる紐を付けた指専用リハビリ棒。
【考案の詳細な説明】
【背景技術】
【０００１】  現在のリハビリ用具は上肢・下肢が主で、指用リハビリ用具はほとんど無く、コンパクトでどこへでも持ち運びができる指用リハビリ棒を考案いたしました。
【考案を実施するための最良の形態】
【０００２】  直径１．５ｃｍ・長さ６０ｃｍの円錐棒１に、５ｍｍの巾で切ったゴムホース２をその円錐棒に１．５ｃｍ間隔で接着剤ではめ固定し、円錐棒の片方にペットボトル（水分量は運動によって自由に）をひっかける輪３を作る。その円錐棒１０を上から下へ・下から上へと指で上下運動をしていく。
【図面の簡単な説明】
【０００３】
【図１】  本考案にかかる指専用リハビリ棒。
【符号の説明】
【０００４】指専用リハビリ棒          １０
円錐棒                      １
５ｍｍ巾のゴムホース        ２
円錐棒輪っか                ３
【図１】
0003146953.tif 000003
(57)【要約】      （修正有）【課題】手では切れない既存のバックシ−ラ−粘着テ−プを、手で切ることができる材質にしたバックシーラー粘着テープを提供する。【解決手段】既存のバックシ−ラ−粘着テ−プの材質を、手でも切れる紙粘着テ−プにしたことを特徴とする。さらに消費者にもすぐ判るように、手で切れますという文字をテ−プに連続して印刷する。これにより、危険な刃物を使用することなくテープを手で切ることができるようになる。【選択図】図１
0003146952.tif 000002
【実用新案登録請求の範囲】
【請求項１】
これまでのバックシ−ラ−器具による結束用粘着テ−プの材質ＯＰＶＣやポリエステル等の化成品材質を手で切れる紙材質に変えたバックシ−ラ−用紙粘着テ−プ
【考案の詳細な説明】
【技術分野】
【０００１】  本考案は、バックシ−ラ−用粘着テ−プの材質に関するものである。
【背景技術】
【０００２】  バックシ−ラ−器具により結束された袋入りの物品を取り出す時、テ−プが化成品材質のため、手では切れず、ハサミやナイフを使用していた。
【考案の開示】
【考案が解決しようとする課題】
【０００３】  少なくても３０年以上前から使用されている簡易結束機バックシ−ラ−において、発売当初はいかに簡単に、しかも強固に結束出来るかだけの発想で開発されたと思われます。しかしながら今日では、一般消費者の立場にたって、いかに簡単に、安全に解束出来るかも考えなければなりません。特に菓子やパンなどの食品において、テ−プが強固なため、ハサミやナイフを用いて解束するか、あるいは袋を破くしかありません。力の弱い小さな子供やお年寄りには、大変危険で不向きである。
【課題を解決するための手段】
【０００４】  本考案は、現在使用されているバックシ−ラ−用粘着テ−プの材質を紙、及び耐水性のある紙に変える事により、テ−プが手で切れるようになり、この問題を解決している。
【考案の効果】
【０００５】  上述の様に、本考案のバックシ−ラ−用紙粘着テ−プは、これまでの強固な化成品粘着と異なり、手で切れるため、危険な刃物を使用する必要がない。又、材質が紙のため、環境にもやさしい。
【考案の実施するための最良の形態】
【０００６】  バックシ−ラ−テ−プにより結束された袋入りの品物を取り出す場合、一般消費者が結束部分を見て判るように、バックシ−ラ−紙粘着テ−プに手で切れますの文章を印刷します。
【実施例】
【０００７】  以下、添付図面に従って一実施例を説明する。１は幅９ｍｍの紙粘着テ−プに、手で切れますの文章を連続で印刷する。２は内径７５ｍｍの紙巻に３５ｍ〜５０ｍの長さで巻き取る。３はａの部分に２をセットする。４はポリ袋等に品物を入れ、上部口を絞る。５は既存のバックシ−ラ−器具のｂの結束口に絞った部分を上から下に押し通す。テ−プは自動的カットされ、６のように結束出来る。
【図面の簡単な説明】
【０００８】
【図１】手で切れますの文章が印刷された幅９ｍｍの紙粘着テ−プである。
【図２】内径７５ｍｍの紙巻に巻き取られた状態の紙粘着テ−プである。
【図３】既存のバックシ−ラ−器具にテ−プをセットした状態である。
【図４】品物を袋に入れ、上部口を絞った状態である。
【図５】バックシ−ラ−器具の結束口
【図６】バックシ−ラ−器具により結束された状態である。
【符号の説明】
【０００９】ａ  バックシ−ラ−紙粘着テ−プセット位置
ｂ  バックシ−ラ−器具の結束口
【図１】
0003146952.tif 000003
【図２】
0003146952.tif 000004
【図３】
0003146952.tif 000005
【図４】
0003146952.tif 000006
【図５】
0003146952.tif 000007
【図６】
0003146952.tif 000008
(57)【要約】      （修正有）【課題】繋いだり外したりできる造形用チェーンリングで、楽しみながら造形作業ができる補助具に関する。【解決手段】補助具の構成はスポンジボールに、網の目に合わせてポケットが造られているので、リングをポケットに埋め込みながら繋いでいけば、ボールを包む鎖の網になる。あとはポケットからリングを引き抜けば、いろいろな遊び方が出来るチェーンボールが完成する。【選択図】図２
0003146956.tif 000002
【実用新案登録請求の範囲】
【請求項１】
柔らかいスポンジ又は塑性体でできている球形状の作業台（１６）の表面部分に、リング埋め込み用のポケット（１８）を設置、又は前記ポケット（１８）の設置位置を設定したことを特徴とする繋脱自在チェーンリング組立補助装置。
【請求項２】
ポケットは正５角形と正６角形の組合せによる３２面体の辺が現わす模様状（サッカーボールのシーム線の模様状）に合わせた位置である請求項１記載の繋脱自在チェーンリング組立補助装置。
【請求項３】
リングを埋め込むためのポケットの構成は、切り込み、又は溝により形成することを特徴とする請求項１又は請求項２記載の繋脱自在チェーンリング組立補助装置。
【考案の詳細な説明】
【技術分野】
【０００１】  本考案は、弾性体よりなる繋脱（リング同士を繋いだり外したりすること）自在チェーンリングを造形用材のリング素子として使い、手作りによる造形作業をするための補助装置に関する。
【背景技術】
【０００２】    リング同士を繋いだり外したりして遊ぶための造形用「繋脱自在チェーンリング」特願２００５−２２１８８０があるが、このリング素子を網のように繋げて、複雑な構造の一つの作品を完成させるために使われる補助装置はなかった。
【考案が解決しようとする課題】
【０００３】  あるイメージに基づいて繋環による造形作業を進める中で、繋鎖特有の遊動的な不安定さによりイメージした形が維持できず崩れてしまうことがある。特に、立体的な構造による造形は複雑で緻密な作業を伴い、ミスも重なり効率的な作業ができない。
【考案の開示】
【０００４】  出来れば安定した作業環境の中で楽しみながらできる補助装置が望まれる。本考案は、これらの欠点および課題を解決するためになされたものである。
【課題を解決するための手段】
【０００５】  柔らかいスポンジ又は塑性体でできている球形状の作業台１６の表面部分に、リング埋め込み用のポケット１８を設置、又はポケットの設置位置を設定する。
【０００６】  ポケットは正５角形と正６角形の組合せによる３２面体の辺が現わす模様状（サッカーボールのシーム線の模様状）に合わせた位置にする。
【０００７】  リングを埋め込むためのポケットの構成は、切り込み、又は溝により形成する。
【０００８】  請求項１〜３記載の何れか１項の繋脱自在チェーンリング組立補助装置を利用して「球面に鎖の網を設けた球技用のボール」（後記の説明を参照）図２の鎖の網を製造する方法は、ポケット  １８、１８ａ、１８ｂ、１８ｃ、・・・にリング１１ａ、１１ｂ、１１ｃ・・・を埋め込む工程と、該埋め込んだリングを利用し、前記繋脱自在チェーンリング組立補助装置を包むように、リング１１を網目状に繋環し、鎖の網を形成する工程による。
【考案を実施するための最良の形態】
【０００９】以下、本考案の実施の形態を図１〜２図に基づいて説明する。【００１０】  図１に示す実施例は、作業台６の作業面に設けた塑性体層７の任意の位置にリング１ａ、１ｂを植立により仮固定する。そしてこれを脚台にして橋桁を架けるように前記リング１ａ、１ｂに直交した面によりリング１を繋環する。【００１１】  図２（ａ）に示す実施例では、所定形状の造形の場合で、（特許出願公開１０−１０８９２４、名称「球面に鎖の網を設けた球技用のボール」参照）立体的な網状の形成を示している。補助装置の作業台１６はボール形状の球体でウレタンフォームの柔らかいスポンジでできている。その球面にリングを植立するための切り込みを入れてポケット１８を形成したものである。そして、ポケットの位置は正５角形と正６角形の組合せによる３２面体の辺が現わす模様状（サッカーボールのシーム線の模様状）に配置されている。【００１２】  図２（ｂ）に示す実施例は、前記の補助装置、図２（ａ）の一部分で、各角形の頂点部分を拡大した図である。ポケット１８ａ、１８ｂ、１８ｃにリング１１ａ、１１ｂ、１１ｃを植立し、このリング１１ａ、１１ｂ、１１ｃに直交したリング１１で植立した三つのリング１１ａ、１１ｂ、１１ｃを束ねるように繋環する。また、上記の繋環作業順序は逆でもよい、つまり、リング１１のリングで三つのリング１１ａ、１１ｂ、１１ｃを束ねておいてからリング１１ａ、１１ｂ、１１ｃを植立する方法である。このような作業パターンでボール形状の作業台１６を包むチェーンリングによる網を形成する。
なお、鎖の網は球形のボールに合わせて作られても、変化のある多様な形のボールも包み込むことができる。【００１３】  次にポケット１８ａ、１８ｂ、１８ｃ、・・・からチェーンリングを抜き取る。ボール形状の作業台１６はそのまま鎖の網の中に中実ボールとして残しておいてもよいが、他の中実ボールと入れ替えてもよい。なお、開閉口の接合、または結合の際、必要に応じ接着剤などで固着してもよい。
【考案の効果】
【００１４】  図２（ａ）のボール状の作業台において、球面に配設されたポケットは設計図同様、目でリングの全体的な配置を確認しながら繋環作業ができるガイド役、及びリングの仮固定装置を兼ねている。そして、繋環作業はこのボール状の作業台で行うため作業が分かり易く、形の崩れやすい網状の立体的な造形も、その形が顕在化した状態で作業手順を理解しながら進められる。つまり、タイルの埋め込み感覚で即応したイメージの中でできるので、ミスのない安定した作業を効率よく、しかも楽しみながらできる。また、この繋脱自在チェーンリングによる造形は作品のリング一個単位での部分修正、又は変更が簡単にできる利点がある。
【図面の簡単な説明】
【図１】  手作りのための補助装置の実施例を示す縦断面図である。
【図２】  手作りのための補助装置の実施例を示す斜視図である。
【符号の説明】
１、１ａ、１ｂ、１１、１１ａ、１１ｂ、１１ｃ  リング
２、２ａ、２ｂ、１２  開閉口
６、１６  作業台
７  塑性体層
１８、１８ａ、１８ｂ、１８ｃ  ポケット
【図１】
0003146956.tif 000003
【図２】
0003146956.tif 000004
(57)【要約】      （修正有）【課題】カラスを始めとする鳥類による袋の取り外しを防止でき、収穫物の品質を向上させることができる栽培袋を提供する。【解決手段】栽培袋は、少なくとも外側が黒色である袋部１と、袋部１の口部５に設けられた固定部材３を有するものであり、固定部材によって、栽培袋を果実や野菜等に取り付ける。【選択図】図１
0003146991.tif 000002
【実用新案登録請求の範囲】
【請求項１】
少なくとも外側が黒色である袋部と、袋部の口部に設けられ固定部材を有する栽培袋。
【考案の詳細な説明】
【技術分野】
【０００１】
この考案は、栽培中の果実や野菜にかぶせる栽培袋に関するものである。
【背景技術】
【０００２】
生育中の果実や野菜を直射日光や害虫などから保護するために栽培袋をかぶせ、収穫物の高品質化を図ることは広く行われている。これらの栽培袋のほとんどは、白色であり、また橙色のような薄い着色を施されたものもある。
【０００３】
特許文献１には、袋の内側や二重袋の内袋を黒色にすることが記載されている。
【特許文献１】登録実用新案公報第３０４９６５９号
【考案の開示】
【考案が解決しようとする課題】
【０００４】
従来の栽培袋は、カラスなどの鳥類によって外されてしまうという問題がある。特に、果実に取り付けた場合、かなりの割合の袋がカラスによって取り外され、中身の果実が食べられたり、栽培袋による直射日光や害虫などから保護の目的が果たせなかったりする。
【０００５】
この考案は、カラスを始めとする鳥類による袋の取り外しを防止でき、収穫物の品質を向上させることができる栽培袋を提供することを目的とする。
【課題を解決するための手段】
【０００６】
上述の課題を解決するため、この考案の栽培袋は、少なくとも外側が黒色である袋部と、袋部の口部に設けられた固定部材を有する。
【考案の効果】
【０００７】
この考案の栽培袋は、袋部の外側が黒色であることによって、カラスなどの鳥類が袋を取り外さなくなり、収穫物の品質を向上させることができる。
【考案を実施するための最良の形態】
【０００８】
この考案を実施するための最良の形態について説明する。図１は、栽培袋を示す正面図である。
【０００９】
袋部１は、紙やパラフィン紙などで作られており、栽培対象の果実や野菜を収容するのに十分な大きさを有する。
【００１０】
袋部１の少なくとも外側は黒色である。内側も黒色にして、光が内部に全く入らないようにしてもよい。また、内側は白色とし、外側の黒色も薄めにして、内部に薄明かりが入るようにしてもよい。
【００１１】
袋部１の側部には、張り合わせ部２が形成されている。そして、張り合わせ部２の上端部は袋部２の上端よりも先に伸びており、帯状の固定部材３が袋部１の口部４付近に形成されている。また、袋部１の上端には、袋部２と固定部材３の間に切れ込み５が形成されている。
【００１２】
固定部材３の上部には、その長さ方向に沿って、針金６が取り付けられている。
【００１３】
袋部１の下端部は、張り合わせ部２の下端部よりも下に延びている。そして、この袋部１の下端あたりの側部が一部開いており、水抜き部７となっている。
【００１４】
ついで、栽培袋の実施例について説明する。この考案の栽培袋を果実袋として、ブドウの栽培に適用した例である。
【００１５】
図１に示す形状の袋を２００枚用意した。これらは果実袋として市販されているもので、袋部は外側も内側も白色である。このうちの１００枚を書道用の墨汁中に浸し、ほぼ真っ黒に着色した。これを実施例とする。
【００１６】
一方、残り１００枚は白色のまま使用した。これを比較例とする。
【００１７】
愛媛県西予市三瓶町垣生のブドウ畑において、平成２０年７月中旬から８月１０日までの間に実施した。使用したブドウの品種は巨峰である。
【００１８】
同じブドウ畑を２の区画に分け、一方の区画中のブドウの果実には黒色に着色した実施例の栽培袋を被せた。他方の区画中のブドウの果実には白色のままの比較例の栽培袋を被せた。７月中旬で、ブドウの房が現れたときに栽培袋を被せ、針金７を有する固定部材３を樹にくくりつけた。
【００１９】
比較例の栽培袋を取り付けた区画では、果実が熟し始める７月末より、カラスによる被害が現れ、数日間で２割の栽培袋が落とされた。被害がそれ以上拡大しないように、それ以降は比較例の区画には防鳥用のネットを張らざるを得なかった。
【００２０】
一方、実施例においては、鳥による被害は全く発生しなかった。特に防鳥用のネットなどを使用することもなく、８月１０日の収穫のときまで、鳥によって外された栽培袋は１枚もなかった。
【００２１】
以上、この考案の実施例による顕著な効果が確認された。
【００２２】
ついで、他の形態について説明する。図２はこの考案の実施形態の栽培袋を示す正面図、図３は栽培袋の使用状態を示す概念図である。アスパラガスの栽培に適用した例である。
【００２３】
栽培袋の袋部１は、アスパラガスの上部を収容するのに適した細長いものを使用する。この袋部１の上端部は概ね円錐状であり、先端へ向かって細くなる形状である。また、口部にはリング状の針金などの補強財８が設けられており、袋部１の口部が丸く開口した状態を維持できるようになっている。また、口部には固定部材として、棒状の部材が３ｃｍ以上突き出している。袋部１のほとんどは外側が黒色であるが、口部付近は黒以外の色、たとえば白色になっている。
【００２４】
アスパラガスｘが地上に芽を出したときに、栽培袋１を被せる（図３（ａ））。棒状の固定部材３を地面に挿入することによって、栽培袋が倒れることが防止される。また、袋部１の口部の白い部分も地中に入れる。
【００２５】
その後、アスパラガスｘは栽培袋１の中で光を遮断された状態で成長する（図３（ｂ））。暗い状態で成長するので、アスパラガスｘは緑色にはならず、白色に近い状態で育つ。
【００２６】
アスパラガスｘが十分生長したら、栽培袋１が持ち上がる（図３（ｃ））。これによって、口部付近の白い部分が地上に現れる。白い部分が現れることによって、栽培袋内のアスパラガスが成長したことが把握される。こうして、収穫時期を知ることができる。白色に近いアスパラガスを収穫することができる。
【図面の簡単な説明】
【００２７】
【図１】栽培袋を示す正面図である。
【図２】栽培袋の別の実施形態を示す正面図である。
【図３】栽培袋の使用状態を示す概念図である。
【符号の説明】
【００２８】
１．袋部
３．固定部材
【図１】
0003146991.tif 000003
【図２】
0003146991.tif 000004
【図３】
0003146991.tif 000005
(57)【要約】      （修正有）【課題】足先部と踵部を接続する土踏まず部に伸縮曲折する部材を使用することで足先部と踵部の分離動作の自由度を増大させた、歩行しやすく履き心地のよい靴を提供する。【解決手段】靴は、主として足先部１、踵部２、土踏まず部３、土踏まず立ち上がり部４、足先底部および踵底部６で構成する。該足先部１と踵部２を足底として一体化する事なく、土踏まず部３と土踏まず立ち上がり部４を伸縮曲折する部材で接続する。該伸縮曲折する部材は、発汗を考慮しストレッチ性のある繊維を使用する。また足先部１に伸縮する部材を使用しても良い。【選択図】図１
0003146993.tif 000002
【実用新案登録請求の範囲】
【請求項１】
足先部と踵部を分離し、土踏まず部にベースプレートあるいはベースプレート状となるものを設定せず、伸縮曲折する部材で足先部と踵部を接続した靴。
【請求項２】
足先部に伸縮する部材を使用した請求項１に記載の靴。
【考案の詳細な説明】
【技術分野】
【０００１】
本考案は、歩行しやすく履き心地のよい靴に関する。
【背景技術】
【０００２】
靴はデザイン性もさることながら歩行しやすさ、履き心地、緩衝機能などが要求され下記、特許文献１〜３に記載されたようなものがある。
【０００３】
楽に歩行できると同時により血行を促進して新陳代謝を促すことができ、かつ背筋の伸びた姿勢で歩行することができるウォーキングシューズ等の履物。
【特許文献１】特開２００６−３４５３１号公報  靴底に緩衝機能を持たせ、着地時の衝撃を吸収するもので、靴の用途、コンセプト、コスト等を考慮し、必要な緩衝機能を有する部材を靴底の各部位に適宜配置する靴。
【特許文献２】特開２００７−８９７３４号公報  踵接触面を足先部より上方傾斜させた高ヒール部を備えるシューズやサンダルにおいて、着地時の安定性を向上させると共に着地の衝撃を緩和させる靴。
【特許文献３】特開２００７−２２２３８０号公報
【考案の開示】
【考案が解決しようとする課題】
【０００４】
前記、特許文献１〜３の靴はいずれも足先部と踵部を接続している足底のベースプレートあるいはベースプレート状となるものはある程度は曲がる機能があり、特に土踏まず部がそうである。しかし、ある程度曲がるだけでは足先部と踵部の分離動作の自由度は低い。
【０００５】
本考案は足先部と踵部を接続する土踏まず部に伸縮曲折する部材を使用することで足先部と踵部の分離動作の自由度を増大させ、歩行しやすく履き心地のよい靴を提案する。
【課題を解決するための手段】
【０００６】
本考案の請求項１は、足先部と踵部を分離し、土踏まず部にベースプレートあるいはベースプレート状となるものを設定せず、伸縮曲折する部材で足先部と踵部を接続した靴である。
【０００７】
また請求項２は、足先部に伸縮する部材を使用した請求項１に記載の靴である。
【考案の効果】
【０００８】
本考案の靴は足先部と踵部が分離したものから土踏まず部に伸縮曲折する部材で接続することにより、足先部と踵部がそれぞれ分離動作の自由度が大きくなり足の踏みつけ部分の接地状態に応じた靴底の動きが可能となることで歩行時の足の負担が軽減する。また、足先部に伸縮する部材を使用することにより、足の指部の負担を軽減する。
【考案を実施するための最良の形態】
【０００９】
図１に本考案の靴において土踏まず部に伸縮曲折する部材を足先部と踵部に接続した状態、図２はそれを曲折した状態を示す。また、図３には踵底部がハイヒールのときの状態を示し、それぞれ説明する。
【００１０】
図１は本考案の靴の足先部１と踵部２に足底を一体化したベースプレートを設定しないで土踏まず部３と土踏まず立ち上がり部４を伸縮曲折する部材で接続した状態である。土踏まず部３と土踏まず立ち上がり部４の伸縮曲折する部材はストレッチ性のある繊維、ゴム、樹脂など使用可能だが、足の発汗性からするとストレッチ機能のある繊維を使用することが望ましい。さらに靴外面の防水性も必要となるので、その面は撥水性のあるものにする。尚、この土踏まず部３と土踏まず立ち上がり部４については分別せずに一体化したものでもよい。また、靴がサンダル形状となるものは土踏まず立ち上がり部４を省略し土踏まず部３のみで足先部１と踵部２を接続してもよい。足先底部５と踵底部６に関しては従来の靴に使用されている部材が使用できる。
【００１１】
図２は本考案の靴の土踏まず部３と土踏まず立ち上がり部４を曲折した状態である。この状態からわかるように足先部１と踵部２の分離動作の自由度は大きい。
【００１２】
図３は本考案の靴の踵底部６がハイヒールとなった場合の状態である。このハイヒールの状態では足先部１の足指に負担が増大するため、請求項２に記載のように足先部１にストレッチ機能のある繊維など伸縮する部材を使用するとよい。また前述図１の踵底部６がローヒールである場合であっても靴用途により足先部１に伸縮する部材を使用してもよい。
【図面の簡単な説明】
【００１３】
【図１】本考案の靴で土踏まず部に伸縮曲折する部材で足先部と踵部を接続した状態図。
【図２】本考案の靴で土踏まず部が曲折した状態図。
【図３】本考案の靴で踵底部がハイヒールとなった状態図。
【符号の説明】
【００１４】
１  足先部
２  踵部
３  土踏まず部
４  土踏まず立ち上がり部
５  足先底部
６  踵底部
【図１】
0003146993.tif 000003
【図２】
0003146993.tif 000004
【図３】
0003146993.tif 000005
(57)【要約】      （修正有）【課題】空になった筒状のハードケースを持ち帰る時に、かさばらない長物携帯器具を提供する。【解決手段】長物携帯器具は接続袋１と接続袋２とそれらを接続するベルト３とから成る。大判ポスターを新聞紙等と一緒に円筒状に巻いて強度を増したものに、長物携帯器具をつけて肩にかけて運び会場に持ちこみ、使用後は新聞紙を廃棄し、ポスターは折りたたみ長物携帯器具と共にかばんにしまって帰ることが出来ることはかさばらずに便利である。また、印刷業者より完成ポスターが納品される時は、大判ポスターは紙筒に収められていることが多く、その紙筒に長物携帯器具をつけて持ち運ぶことで、円筒の再利用に役立つ。【選択図】図１
0003146907.tif 000002
【実用新案登録請求の範囲】
【請求項１】
巻いた図面やポスターなどの紙、フィルム類や棒状、管状その他の細長い形態をとる物品の両端に伸縮性のある袋を着脱可能にとりつけ、双方の袋をベルトでつなぐことにより、物品を携帯可能としたことを特徴とする長物携帯器具。
【請求項２】
伸縮性のある袋とベルトは着脱可能であることを特徴とする請求項１記載の長物携帯器具。
【考案の詳細な説明】
【技術分野】
【０００１】
本考案は、巻いた図面やポスターなどの紙、フィルム類や棒状、管状その他の細長い形態をとる物品を持ち運ぶための長物携帯器具に関するものである。      
【背景技術】
【０００２】
近年、パソコンが普及し、一般の学生や会社員が大判のポスターを自分でデザインし、安価なオンデマンド印刷業者に印刷を依頼することで、自分で大判のポスターを容易に製作できるようになった。自分で製作したポスターの用途は１回限りの展示会や学会のポスターセッションで使われることが多い。そのような場合、会場に持っていくまではポスターに折り傷が付かないように形状を美しく保つことが必要であるが、使用後はポスターが不要となるため、廃棄する、折りたたんでかばんに詰める等、かさばらない方法が好ましい。しかし、現状では筒状のハードケースが持ち運びに使われており、ポスターが不要になっても、かさばる筒状のハードケースを持ち帰る必要があり不便であった。そこで、大判ポスターを新聞紙等と一緒に円筒状に巻いて強度を増したものに、大判ポスター携帯器具をつけて肩にかけて運び会場に持ちこみ、使用後は新聞紙を廃棄し、ポスターは折りたたみ大判ポスター携帯器具と共にかばんにしまって帰ることが出来ることはかさばらずに便利である。また、印刷業者より完成ポスターが納品される時は、大判ポスターは紙筒に収められていることが多く、その紙筒に大判ポスター携帯器具をつけて持ち運ぶことで、円筒の再利用に役立つ。
【特許文献１】登録実用新案第３０７０５６３号
【特許文献２】実願平４−９４３３６
【考案の開示】
【考案が解決しようとする課題】
【０００３】
解決しようとする問題点は、空になった筒状のハードケースを持ち帰る時に、かさだかい点である。
【課題を解決するための手段】
【０００４】
本考案は、巻いた図面やポスターなどの紙、フィルム類や棒状、管状その他の細長い形態をとる物品の両端に伸縮性のある袋を直接着脱可能にとりつけ、双方の袋をベルトでつなぐことにより、専用の筒状のハードケースを使用せずに物品を携帯可能としたことを主要な特徴とする。
【考案の効果】
【０００５】
ポスターが不要になった時にかさばらないで持ち帰ることが出来る。
【０００６】
大判ポスターは紙筒に収められていることが多く、その紙筒に大判ポスター携帯器具をつけて持ち運ぶことで、円筒の再利用に役立つ。
【考案を実施するための最良の形態】
【０００７】
以下図面を参照して本考案を詳細に説明する。
図１は本考案に係る長物携帯器具の1実施例を示す図であり、長物携帯器具は接続袋１と接続袋２とそれらを接続するベルト３とから成る。
【０００８】
接続袋にははとめ４が固定されており、ベルトの両端に固定したナスカン５をはとめ４に接続して接続袋１と接続袋２とベルト３を脱着可能に接続する。
【０００９】
図２は本考案に係る長物携帯器具を大判ポスターに使用した状態を示す図であり、物品４は巻いた図面やポスターなどの紙、フィルム類や棒状、管状その他の細長い形態をとる物品である。物品４の両端に接続袋１と接続袋２を取り付け、ベルト３を肩にかけて物品４を持ち運ぶ。
【００１０】
接続袋１と接続袋２は伸縮性のある袋であり、物品４にかぶせて締め付けることによって物品４を保持する。物品４の直径は接続袋の伸縮サイズにより幅があるため、許容度が大きい。
【００１１】
本考案の接続袋１および接続袋２の素材は収縮性のある布繊維に限定される訳ではなく、プラスチック材やゴム材も使用可能であるので、材質の限定は不要である。
【００１２】
本考案の接続袋１と接続袋２とベルト３の接続方法はナスカン５とはとめ４を使用する方法に限定されるかけではなく、ナスカンの変わりにリングを使用事も可能であるので、接続の方法の限定は不要である。
【産業上の利用可能性】
【００１３】
大判ポスターを携帯して運搬する手段として利用できる。
【００１４】
図面を携帯して運搬する手段として利用できる。
【００１５】
印刷業者が顧客に大判ポスターを発送する際に使用する円筒の再利用を促す販売促進物として利用できる。
【図面の簡単な説明】
【００１６】
【図１】本考案に係る長物携帯器具の1実施例を示す図である。
【図２】本考案に係る長物携帯器具を大判ポスターに使用した状態を示す図である。
【符号の説明】
【００１７】
１接続袋
２接続袋
３ベルト
４はとめ
５ナスカン
６物品
【図１】
0003146907.tif 000003
【図２】
0003146907.tif 000004
(57)【要約】      （修正有）【課題】排水ダクトに落した物（箸、歯ブラシ、ピンセット等）の取り出しが可能となる排水ダクト落下物捕捉線を提供する。【解決手段】排水ダクト落下物捕捉線１及び２を設けたものを排水ダクトに差し込み、３の操作線を上下させると目標物を回収することができ、水づまりの解消に役立つ。先頭部を排水ダクトに差し込み、目標物に届くまで送り込むと線の動きがにぶくなる。そこで、２、３度上下させると螺線部分に回収目標物が、捕捉され線を引き上げることで回収できる。又、捕捉部分が線であるため、一度からむと外れにくい状態になる。【選択図】図３
0003146965.tif 000002
【実用新案登録請求の範囲】
【請求項１】
金属線を螺線円錐形に加工した捕捉部分を設け、送り線を操作することを特徴とした排水ダクト落下物捕捉線。
【考案の詳細な説明】
【技術分野】
【０００１】  本考案は、金属線を円錐形に螺線巻きしたものを二ヵ所設けた捕捉線に関するものである。
【背景技術】
【０００２】  台所の排水ダクト及び洗面所の排水ダクトに、箸、歯ブラシ、ピンセット等を落したとき取り出せなかった。
【考案の開示】
【考案が解決しようとする課題】
【０００３】  排水ダクトに落した、箸、歯ブラシ、ピンセット等を取り出す手段は殆ど無く、放置され水づまりの原因になっていた。従って、捕捉線により排水ダクトに落した物（箸、歯ブラシ、ピンセット等）の取り出しが可能となり、前途の原因を解決しようとするものである。
【課題を解決するための手段】
【０００４】  本考案は、金属線を螺線状に巻いたものを二ヵ所設けたことで、排水ダクト内の落下物（箸、歯ブラシ、ピンセット等）を螺線部分に捕捉し、排水ダクトより取り出すことにより問題点を解決している。
【考案の効果】
【０００５】  上述の様に、本考案の排水ダクト落下物捕捉線は、排水ダクトに差し込み、線を上下させることで、箸、歯ブラシ、ピンセット等を安易に捕捉回収するため、水づまりを解消することに役立つ。
【考案を実施するための最良の形態】
【０００６】  治具の先頭部１を排水ダクトに差し込み、目標物に届くまで送り込むと線の動きがにぶくなる。そこで、２、３度上下させると螺線部分に回収目標物が、捕捉され線を引き上げることで回収できる。又、捕捉部分が線であるため、一度からむと外れにくい状態になる。
【実施例】
【０００７】  以下、添付図面に従って実施例を説明する。１、２、３共にステンレス製で作られたもの。１及び２は、螺線状に巻いた捕捉部分。３は、治具を操作し送り込む線で構成される。【０００８】  本考案の実施例は、上述の如き構成からなるものであり、操作線３を動かすことにより、安易に排水ダクトに落した歯ブラシを、図３、図４に示すとおり１又は、１及び２に捕捉され取り出せる。
【図面の簡単な説明】
【０００９】
【図１】本考案の側面図
【図２】本考案の正面図
【図３】歯ブラシの捕捉例１
【図４】歯ブラシの捕捉例２
【符号の説明】
【００１０】１  螺線部１
２  螺線部２
３  操作線
【図１】
0003146965.tif 000003
【図２】
0003146965.tif 000004
【図３】
0003146965.tif 000005
【図４】
0003146965.tif 000006